(57)【要約】【課題】アンダーライト用ダミーサンプルを展示する形式とバックライト用ダミーサンプルを展示する形式との変更が容易に行える自動販売機のダミーサンプル展示装置を提供する。【解決手段】陳列台１４に陳列されるダミーサンプルと、ダミーサンプルを照らす蛍光灯１７とを有し、陳列台１４はアンダーライト用陳列台２１とバックライト用陳列台２２とに分割され、アンダーライト用陳列台２１は展示室１０の背面を構成する中扉７に支持され、蛍光灯１７によって下方から照射されるアンダーライト用ダミーサンプルがアンダーライト用陳列台２１に着脱自在であり、バックライト用陳列台２２は、中扉７に着脱自在に設けられて、アンダーライト用陳列台２１の上方に位置し、蛍光灯１７によって背後から照射されるバックライト用ダミーサンプル１６がバックライト用陳列台２２に備えられている。【選択図】図４
2009015541.tif 000002
【特許請求の範囲】
【請求項１】
商品のダミーサンプルを展示する展示室が設けられた自動販売機のダミーサンプル展示装置であって、
陳列台と照明装置とを有し、
陳列台は、照明装置によって下方から照射されるアンダーライト用ダミーサンプルが着脱自在なアンダーライト用下部陳列台と、照明装置によって背後から照射されるバックライト用ダミーサンプルが着脱自在なバックライト用上部陳列台とに分割されており、
バックライト用上部陳列台はアンダーライト用下部陳列台の上方に設けられていることを特徴とする自動販売機のダミーサンプル展示装置。
【請求項２】
バックライト用上部陳列台は展示室の背面部材に対して着脱自在であることを特徴とする請求項１記載の自動販売機のダミーサンプル展示装置。
【請求項３】
照明装置はアンダーライト用下部陳列台のアンダーライト用ダミーサンプルの支持部の下方に設けられ、
照明装置の光を下方からバックライト用ダミーサンプルの背後に取り込む下部通光孔がアンダーライト用下部陳列台に設けられ、
下部通光孔を通過した光を背後からバックライト用ダミーサンプルに取り込む後部通光孔がバックライト用上部陳列台に形成され、
バックライト用上部陳列台を取り外して、アンダーライト用ダミーサンプルをアンダーライト用下部陳列台の支持部上に設置した場合、照明装置の光が下部通光孔を通過して下方からアンダーライト用ダミーサンプルに取り込まれることを特徴とする請求項１又は請求項２記載の自動販売機のダミーサンプル展示装置。
【請求項４】
商品のダミーサンプルを展示する展示室が設けられた自動販売機のダミーサンプル展示装置であって、
陳列台と照明装置とを有し、
陳列台は、照明装置によって下方から照射されるアンダーライト用ダミーサンプルが着脱自在なアンダーライト用下部陳列台と、アンダーライト用下部陳列台の上方に設けられ且つ照明装置によって背後から照射されるバックライト用ダミーサンプルが着脱自在なバックライト用上部陳列台とに分割されており、
バックライト用上部陳列台は、展示室の背面部材の表側且つアンダーライト用下部陳列台の上方に突出する使用位置と、アンダーライト用下部陳列台の上方から退避して展示室の背面部材の裏側へ退く非使用位置とに移動自在であることを特徴とする自動販売機のダミーサンプル展示装置。
【請求項５】
バックライト用上部陳列台は、展示室の背面部材に、使用位置と非使用位置とに揺動自在に設けられていることを特徴とする請求項４記載の自動販売機のダミーサンプル展示装置。
【発明の詳細な説明】
【技術分野】
【０００１】
本発明は、ダミーサンプルを展示する展示室が設けられた自動販売機のダミーサンプル展示装置に関する。
【背景技術】
【０００２】
従来、この種の自動販売機のダミーサンプル展示装置としては、例えば図２０に示すように、缶飲料等の商品を販売する自動販売機１００の展示室１０１内に設けられるものがある。自動販売機１００の本体の正面には開閉自在な扉が設けられ、この扉は外扉１０４と中扉１０５と内扉（図示省略）とで構成されている。展示室１０１は外扉１０４と中扉１０５との間に形成され、外扉１０４が展示室１０１の前面部材を成し、中扉１０５が展示室１０１の背面部材を成している。
【０００３】
展示室１０１内には複数個のアンダーライト用ダミーサンプル１０８を展示する展示装置１０７が設けられている。展示装置１０７は、アンダーライト用陳列台１０９と、アンダーライト用陳列台１０９上に設置された円筒状のアンダーライト用ダミーサンプル１０８と、アンダーライト用ダミーサンプル１０８を下方から照射する蛍光灯１１０とを有している。
【０００４】
蛍光灯１１０は左右両端部が保持部材１１１で保持されている。これら保持部材１１１は中扉１０５にねじ(図示せず)等によって取り付けられている。アンダーライト用陳列台１０９は保持部材１１１上に設けられている。アンダーライト用陳列台１０９には、蛍光灯１１０の光を下方からアンダーライト用ダミーサンプル１０８内に取り込む通光孔１１２が複数形成されている。
【０００５】
これによると、蛍光灯１１０が点灯することにより、蛍光灯１１０の光が通光孔１１２を通って各アンダーライト用ダミーサンプル１０８内に入り、各アンダーライト用ダミーサンプル１０８が下方から照らされる。
【０００６】
尚、アンダーライト用陳列台１０９を用いたダミーサンプル展示装置１０７については、例えば下記特許文献１に記載されている。
また、別の形式のダミーサンプル展示装置として、例えば図２１に示すように、バックライト用陳列台１２０と、バックライト用陳列台１２０に取り付けられた半円筒状のバックライト用ダミーサンプル１２１と、バックライト用ダミーサンプル１２１を背後の斜め下から照射する蛍光灯１１０とを有しているものがある。
【０００７】
蛍光灯１１０は左右両端部が保持部材１１１で保持されている。これら保持部材１１１は中扉１０５にねじ(図示せず)等によって取り付けられている。バックライト用陳列台１２０は、中扉１０５に設けられ、蛍光灯１１０の上方に位置している。各バックライト用ダミーサンプル１２１の背面部がバックライト用陳列台１２０に取り付けられている。また、バックライト用陳列台１２０には、蛍光灯１１０の光を背後から各バックライト用ダミーサンプル１２１内に取り込む通光孔１２２が複数形成されている。
【０００８】
これによると、蛍光灯１１０が点灯することにより、蛍光灯１１０の光が通光孔１２２を通って各バックライト用ダミーサンプル１２１内に入り、各バックライト用ダミーサンプル１２１が背後から照らされる。
【０００９】
尚、バックライト用陳列台１２０を用いたダミーサンプル展示装置１２３については、例えば下記特許文献２に記載されている。
【特許文献１】特開平９−３１９９３８
【特許文献２】特開２００５−２８５０２９
【発明の開示】
【発明が解決しようとする課題】
【００１０】
ところで、自動販売機１００を設置する時やしばらく使用した後に、この自動販売機１００を所有したり管理している所有者や管理者から、ダミーサンプルの形式をアンダーライト用のものからバックライト用のものに（又はその逆に）変更して欲しいという要望が出されることがある。
【００１１】
上記のようにダミーサンプルの形式をアンダーライト用のものからバックライト用のものに変更する場合、製造メーカー等の係員が、バックライト用陳列台１２０とバックライト用ダミーサンプル１２１とを用意して、その自動販売機１００の設置場所へ行き、アンダーライト用ダミーサンプル１０８と共にアンダーライト用陳列台１０９を保持部材１１１から取り外す。その後、バックライト用陳列台１２０を中扉１０５に取り付け、バックライト用陳列台１２０にバックライト用ダミーサンプル１２１を取り付けるといった比較的大掛かりな作業が必要であり、変更作業に多くの手間と時間とが必要であるといった問題があり、無駄なコストが増大した。
【００１２】
また、ダミーサンプルの形式をバックライト用のものからアンダーライト用のものに変更する場合も同様に、製造メーカー等の係員が、アンダーライト用陳列台１０９とアンダーライト用ダミーサンプル１０８とを用意して、その自動販売機１００の設置場所へ行き、バックライト用ダミーサンプル１２１と共にバックライト用陳列台１２０を中扉１０５から取り外す。その後、アンダーライト用陳列台１０９を保持部材１１１に取り付け、アンダーライト用陳列台１０９にアンダーライト用ダミーサンプル１０８を取り付けるといった比較的大掛かりな作業が必要であり、変更作業に多くの手間と時間とが必要であるといった問題があり、無駄なコストが増大した。
【００１３】
本発明は、アンダーライト用ダミーサンプルを展示する形式のものからバックライト用ダミーサンプルを展示する形式のものへの変更或いはバックライト用ダミーサンプルを展示する形式のものからアンダーライト用ダミーサンプルを展示する形式のものへの変更が、無駄なコストを抑えながら、容易かつ迅速に行える自動販売機のダミーサンプル展示装置を提供することを目的とする。
【課題を解決するための手段】
【００１４】
上記目的を達成するために本第１発明は、商品のダミーサンプルを展示する展示室が設けられた自動販売機のダミーサンプル展示装置であって、
陳列台と照明装置とを有し、
陳列台は、照明装置によって下方から照射されるアンダーライト用ダミーサンプルが着脱自在なアンダーライト用下部陳列台と、照明装置によって背後から照射されるバックライト用ダミーサンプルが着脱自在なバックライト用上部陳列台とに分割されており、
バックライト用上部陳列台はアンダーライト用下部陳列台の上方に設けられているものである。
【００１５】
これによると、ダミーサンプルの形式をアンダーライト用のものからバックライト用のものに変更する場合は、アンダーライト用下部陳列台を設けたままの状態で、アンダーライト用下部陳列台の上方にバックライト用上部陳列台を取り付ければよい。これにより、従来の変更の際に行っていたアンダーライト用下部陳列台の取り外し作業が不要となり、比較的少ない手間や時間でダミーサンプルの形式をバックライト用のものに変更することができる。
【００１６】
また、ダミーサンプルの形式をバックライト用のものからアンダーライト用のものに変更する場合は、アンダーライト用下部陳列台を設けたままの状態で、バックライト用上部陳列台をアンダーライト用下部陳列台の上方位置から取り外せばよい。これにより、従来の変更の際に行っていたアンダーライト用下部陳列台の取り付け作業が不要となり、比較的少ない手間や時間でダミーサンプルの形式をアンダーライト用のものに変更することができる。
【００１７】
このように、ダミーサンプルの形式をバックライト用に変更する場合とアンダーライト用に変更する場合とのいずれの場合であっても、アンダーライト用下部陳列台は設けたままでよく、アンダーライト用下部陳列台の取付け取外しを行う必要はないため、無駄なコストを抑えながら、容易かつ迅速にダミーサンプルの形式の変更が行える。
【００１８】
本第２発明は、バックライト用上部陳列台は展示室の背面部材に対して着脱自在であるものである。
これによると、ダミーサンプルの形式をアンダーライト用のものからバックライト用のものに変更して欲しいという要望が出された際には、係員や管理者等が、アンダーライト用下部陳列台からアンダーライト用ダミーサンプルを取り外し、バックライト用上部陳列台を展示室の背面部材に取り付けることで、アンダーライト用下部陳列台の上方位置にバックライト用上部陳列台が設けられ、バックライト用ダミーサンプルを装着することができる。
【００１９】
また、ダミーサンプルの形式をバックライト用のものからアンダーライト用のものに変更して欲しいという要望が出された際には、係員や管理者等がバックライト用上部陳列台を展示室の背面部材から取り外すことで、バックライト用上部陳列台がアンダーライト用下部陳列台の上方位置から除去され、アンダーライト用ダミーサンプルをアンダーライト用下部陳列台に取り付けることができる。
【００２０】
本第３発明は、照明装置はアンダーライト用下部陳列台のアンダーライト用ダミーサンプルの支持部の下方に設けられ、
照明装置の光を下方からバックライト用ダミーサンプルの背後に取り込む下部通光孔がアンダーライト用下部陳列台に設けられ、
下部通光孔を通過した光を背後からバックライト用ダミーサンプルに取り込む後部通光孔がバックライト用上部陳列台に形成され、
バックライト用上部陳列台を取り外して、アンダーライト用ダミーサンプルをアンダーライト用下部陳列台の支持部上に設置した場合、照明装置の光が下部通光孔を通過して下方からアンダーライト用ダミーサンプルに取り込まれるものである。
【００２１】
これによると、アンダーライト用ダミーサンプルを展示する場合、バックライト用上部陳列台を取り外し、アンダーライト用ダミーサンプルをアンダーライト用下部陳列台の支持部上に設置する。照明装置を点灯させることにより、照明装置の光が下部通光孔を通過して下方からアンダーライト用ダミーサンプルに取り込まれ、アンダーライト用ダミーサンプルが下方から照射される。
【００２２】
また、バックライト用ダミーサンプルを展示する場合、アンダーライト用ダミーサンプルをアンダーライト用下部陳列台から取り外し、バックライト用上部陳列台をアンダーライト用下部陳列台の上方に取り付ける。照明装置を点灯させることにより、照明装置の光が、下部通光孔を通過してバックライト用ダミーサンプルの背後に取り込まれ、後部通光孔を通過して背後からバックライト用ダミーサンプルに取り込まれ、バックライト用ダミーサンプルが背後から照射される。
【００２３】
本第４発明は、商品のダミーサンプルを展示する展示室が設けられた自動販売機のダミーサンプル展示装置であって、
陳列台と照明装置とを有し、
陳列台は、照明装置によって下方から照射されるアンダーライト用ダミーサンプルが着脱自在なアンダーライト用下部陳列台と、アンダーライト用下部陳列台の上方に設けられ且つ照明装置によって背後から照射されるバックライト用ダミーサンプルが着脱自在なバックライト用上部陳列台とに分割されており、
バックライト用上部陳列台は、展示室の背面部材の表側且つアンダーライト用下部陳列台の上方に突出する使用位置と、アンダーライト用下部陳列台の上方から退避して展示室の背面部材の裏側へ退く非使用位置とに移動自在であるものである。
【００２４】
これによると、ダミーサンプルの形式をアンダーライト用のものからバックライト用のものに変更する場合は、アンダーライト用下部陳列台を設けたままの状態で、バックライト用上部陳列台を使用位置に移動して展示室の背面部材の表側且つアンダーライト用下部陳列台の上方に突出させることで、バックライト用ダミーサンプルを装着することができる。これにより、従来の変更の際に行っていたアンダーライト用下部陳列台の取り外し作業が不要となり、比較的少ない手間や時間でダミーサンプルの形式をバックライト用のものに変更することができる。
【００２５】
また、ダミーサンプルの形式をバックライト用のものからアンダーライト用のものに変更する場合は、アンダーライト用下部陳列台を設けたままの状態で、バックライト用上部陳列台を非使用位置に移動してアンダーライト用下部陳列台の上方から展示室の背面部材の裏側へ収納することで、アンダーライト用ダミーサンプルをアンダーライト用下部陳列台に取り付けることができる。これにより、従来の変更の際に行っていたアンダーライト用下部陳列台の取り付け作業が不要となり、比較的少ない手間や時間でダミーサンプルの形式をアンダーライト用のものに変更することができる。
【００２６】
このように、ダミーサンプルの形式をバックライト用に変更する場合とアンダーライト用に変更する場合とのいずれの場合であっても、アンダーライト用下部陳列台は設けたままでよく、アンダーライト用下部陳列台の取付け取外しを行う必要はないため、無駄なコストを抑えながら、容易かつ迅速にダミーサンプルの形式の変更が行える。
【００２７】
さらに、アンダーライト用のダミーサンプル形式であっても、バックライト用上部陳列台を取り外す必要はないため、バックライト用上部陳列台を紛失する心配は無く、バックライト用上部陳列台を自動販売機の外部に別途保管する手間を省くことができる。
【００２８】
本第５発明は、バックライト用上部陳列台は、展示室の背面部材に、使用位置と非使用位置とに揺動自在に設けられているものである。
これによると、アンダーライト用ダミーサンプルを展示する場合、バックライト用ダミーサンプルをバックライト用上部陳列台から取り外し、バックライト用上部陳列台を非使用位置に揺動させる。
【００２９】
また、バックライト用ダミーサンプルを展示する場合、アンダーライト用ダミーサンプルをアンダーライト用下部陳列台から取り外し、バックライト用上部陳列台を使用位置に揺動させる。
【発明の効果】
【００３０】
以上のように本発明によると、ダミーサンプルの形式をアンダーライト用のものからバックライト用のものに変更する場合、従来の変更の際に行っていたアンダーライト用下部陳列台の取り外し作業が不要となるため、容易かつ迅速にダミーサンプルの形式をバックライト用のものへ変更することができる。
【００３１】
また、ダミーサンプルの形式をバックライト用のものからアンダーライト用のものに変更する場合、従来の変更の際に行っていたアンダーライト用下部陳列台の取り付け作業が不要となり、容易かつ迅速にダミーサンプルの形式をアンダーライト用のものへ変更することができる。
【００３２】
このように、ダミーサンプルの形式をバックライト用に変更する場合とアンダーライト用に変更する場合とのいずれの場合であっても、アンダーライト用下部陳列台は設けたままでよく、アンダーライト用下部陳列台の取付け取外しを行う必要はないため、無駄なコストを抑えながら、容易かつ迅速にダミーサンプルの形式の変更が行える。
【００３３】
さらに、アンダーライト用のダミーサンプル形式であっても、バックライト用上部陳列台を取り外す必要はないため、バックライト用上部陳列台を紛失する心配は無く、バックライト用上部陳列台を自動販売機の外部に別途保管する手間を省くことができる。
【発明を実施するための最良の形態】
【００３４】
以下、本発明における第１の実施の形態を図１〜図１５を参照して説明する。
図１，図２に示すように、１は缶飲料等の商品２を販売する自動販売機であり、商品２が収納される販売機本体３と、販売機本体３の前面を開閉する前扉４とを備えている。
【００３５】
前扉４は、外扉５と、外扉５の内側に設けられた内扉６と、外扉５と内扉６との間に設けられた中扉７とを有している。外扉５と中扉７との間には、複数個のダミーサンプルを展示する展示室１０が設けられている。外扉５は透明板１１を有しており、透明板１１が展示室１０の前面部材をなし、中扉７が展示室１０の背面部材をなしている。
【００３６】
展示室１０にはダミーサンプル展示装置１２が設けられている。ダミーサンプル展示装置１２は、陳列台１４と、陳列台１４に陳列される複数個のダミーサンプル１５，１６と、ダミーサンプル１５，１６を照らし出す蛍光灯１７(照明装置の一例)とを有している。尚、ダミーサンプル展示装置１２は上下複数段(例えば図１，図２では上下三段)に設けられている。
【００３７】
図３，図４に示すように、各蛍光灯１７はその長さ方向が自動販売機１の左右幅方向と一致する向きに配設されており、蛍光灯１７の左右両端部が電極を有する保持部材１８によって保持されている。これら保持部材１８は中扉７に取り付けられて前方へ突出している。各保持部材１８は、その前部上端に、上方へ突出する支持片１９を有するとともに、後部上端に、上方へ突出する位置決め片２０を有する。
【００３８】
各陳列台１４は、保持部材１８を介して中扉７側(背面部材側)に支持されるアンダーライト用下部陳列台２１と、アンダーライト用下部陳列台２１の上方に位置するとともに中扉７(背面部材)に対して着脱自在なバックライト用上部陳列台２２とに分割されている。
【００３９】
図１０〜図１３に示すように、アンダーライト用下部陳列台２１は、複数個のアンダーライト用ダミーサンプル１５が着脱自在に支持される陳列板２１ａ(支持部の一例)と、陳列板２１ａの左右両端から下向きに設けられた左右一対の側板２１ｂと、陳列板２１ａの前端から下向きに設けられた前板２１ｃと、陳列板２１ａの後端から下向きに設けられた後板２１ｄと、後板２１ｄの下端から前向きに設けられた支持片２１ｅとを有している。
【００４０】
アンダーライト用下部陳列台２１には販売価格および冷温状態の少なくとも一方を表示する表示部２３が設けられている。表示部２３は、前板２１ｃと、前板２１ｃの下端からＵ形状に屈曲して前板２１ｃの前方に立ち上がった保持板２４と、これら前板２１ｃと保持板２４との間に形成された差込部２５とを有している。差込部２５には、商品２の販売価格又は冷温状態を表示した表示板２７が上方から脱抜自在に差し込まれている。また、前板２１ｃには前後に開口する照明孔２８が形成され、蛍光灯１７の光が、照明孔２８を通過して、差込部２５に差し込まれた表示板２７の背面側に照射される。尚、表示板２７に販売価格又は冷温状態を表示しているが、販売価格と冷温状態との両方を表示してもよい。
【００４１】
アンダーライト用下部陳列台２１の両側板２１ｂが一対の保持部材１８の外側に嵌められ、陳列板２１ａが下方から支持片１９で支持され、支持片２１ｅが保持部材１８上に支持され、前板２１ｃと支持片２１ｅとの前後間に、保持部材１８の前縁と位置決め片２０とが嵌め込まれた状態で、アンダーライト用下部陳列台２１が上方から一対の保持部材１８に脱抜自在に設けられている。これにより、保持部材１８に対してアンダーライト用下部陳列台２１が前後左右方向へずれることはない。また、上記陳列板２１ａは蛍光灯１７の上方に位置する。
【００４２】
図５〜図８に示すように、バックライト用上部陳列台２２は、下部ほど前方へ傾斜した陳列板２２ａと、陳列板２２ａの前面に設けられた複数のバックライト用サンプルホルダー２２ｂと、陳列板２２ａの左右両側部に設けられて後方へ突出した左右一対の側板２２ｃと、両側板２２ｃの後端部から左右内方へ突出して陳列板２２ａの後方に対向する後板２２ｄと、後板２２ｄに設けられたフック２２ｅ（係合部材の一例）とを有している。
【００４３】
図３，図４に示すように、フック２２ｅは中扉７に形成された被係合孔３０（被係合部の一例）に対して前方から挿脱自在であり、左右一対のフック２２ｅを左右一対の被係合孔３０に挿入することによって、バックライト用上部陳列台２２が中扉７に取り付けられてアンダーライト用下部陳列台２１の上方に位置する。尚、フック２２ｅは各後板２２ｄにそれぞれ１個ずつ設けられているが、上下複数個ずつ設けてもよい。
【００４４】
図６〜図８に示すように、バックライト用サンプルホルダー２２ｂは、陳列板２２ａに当て付けられる保持板２２ｆと、保持板２２ｆの上縁から前方へ突出した上板２２ｇと、保持板２２ｆの下縁から前方へ突出した下板２２ｈと、保持板２２ｆの左右両側縁から斜め前方へ突出した左右一対の側板２２ｉとを有している。
【００４５】
バックライト用上部陳列台２２には、蛍光灯１７によって斜め下の背後から照射される複数のバックライト用ダミーサンプル１６が着脱自在に設けられている。各バックライト用ダミーサンプル１６は、弾力性のある透明な板でできており、表面に商品２の写真が印刷されているものである。図８に示すように、バックライト用ダミーサンプル１６を半円筒形状に曲げた状態で、バックライト用ダミーサンプル１６の両側部をバックライト用サンプルホルダー２２ｂの両側板２２ｉ間に嵌め込むことにより、バックライト用ダミーサンプル１６が半円筒形状に保たれた状態でバックライト用サンプルホルダー２２ｂに取り付けられる。
【００４６】
また、図１２，図１３に示すように、アンダーライト用下部陳列台２１の陳列板２１ａには、蛍光灯１７の光を下方からバックライト用ダミーサンプル１６の背後に取り込む複数の四角形の第１の下部通光孔３３が形成されている。また、図６，図７に示すように、バックライト用上部陳列台２２には、第１の下部通光孔３３を通過した光を背後からバックライト用ダミーサンプル１６に取り込む複数の四角形の後部通光孔３４が形成されている。尚、後部通光孔３４は、陳列板２２ａに形成された第１の後部通光孔３４ａと、各バックライト用サンプルホルダー２２ｂの保持板２２ｆに形成された第２の後部通光孔３４ｂとで構成されており、第１の後部通光孔３４ａと第２の後部通光孔３４ｂとが重なって後部通光孔３４が形成されている。
【００４７】
また、図１０，図１１に示すように、アンダーライト用ダミーサンプル１５は、蛍光灯１７によって下方から照射されるものであり、透明な円筒状の部材でできており、表面に商品２の写真が印刷されている。バックライト用上部陳列台２２を取り外した状態で、各アンダーライト用ダミーサンプル１５が各アンダーライト用サンプルホルダー３６を介してアンダーライト用下部陳列台２１の陳列板２１ａに取り付けられる。
【００４８】
図１２，図１４，図１５に示すように、アンダーライト用サンプルホルダー３６は、第１の下部通光孔３３に上方から脱抜自在に嵌め込まれており、上下両側に開口する第２の下部通光孔３７を有している。アンダーライト用サンプルホルダー３６を第１の下部通光孔３３に嵌め込み、アンダーライト用ダミーサンプル１５の下部をアンダーライト用サンプルホルダー３６に挿入することにより、アンダーライト用ダミーサンプル１５がアンダーライト用サンプルホルダー３６を介して陳列板２１ａ上に保持され、蛍光灯１７の光が第２の下部通光孔３７を通過して下方からアンダーライト用ダミーサンプル１５内に取り込まれる。
【００４９】
以下、上記構成における作用を説明する。
図１はバックライト用ダミーサンプル１６を展示する形式の自動販売機１であり、図４に示すように、蛍光灯１７を点灯させることにより、蛍光灯１７の光が、第１の下部通光孔３３を通過して下方からバックライト用ダミーサンプル１６の背後に取り込まれ、後部通光孔３４を通過して背後からバックライト用ダミーサンプル１６に取り込まれ、バックライト用ダミーサンプル１６が背後から照射される。
【００５０】
また、図９はアンダーライト用ダミーサンプル１５を展示する形式の自動販売機１であり、図１１，図１４に示すように、蛍光灯１７を点灯させることにより、蛍光灯１７の光が第２の下部通光孔３７を通過して下方からアンダーライト用ダミーサンプル１５内に取り込まれ、アンダーライト用ダミーサンプル１５が蛍光灯１７の光によって下方から照射される。
【００５１】
図１に示したバックライト用のダミーサンプル形式の自動販売機１を設置した後、ダミーサンプルの形式をバックライト用のものから図９に示したアンダーライト用のものに変更して欲しいという要望が出された際には、アンダーライト用ダミーサンプル１５とアンダーライト用サンプルホルダー３６とを自動販売機１の設置箇所に送付するなどして用意する。そして、係員や管理者等が、フック２２ｅを被係合孔３０から前方へ脱抜して、バックライト用上部陳列台２２を中扉７から取り外す。これにより、図６に示すように、バックライト用上部陳列台２２がアンダーライト用下部陳列台２１の上方から取り除かれる。
【００５２】
その後、図１２，図１４に示すように、アンダーライト用サンプルホルダー３６をアンダーライト用下部陳列台２１の第１の下部通光孔３３に嵌め込み、アンダーライト用ダミーサンプル１５の下部をアンダーライト用サンプルホルダー３６に挿入する。これにより、図９〜図１１に示すように、アンダーライト用ダミーサンプル１５がアンダーライト用サンプルホルダー３６を介してアンダーライト用下部陳列台２１上に保持される。
【００５３】
したがって、従来の変更の際に行っていたアンダーライト用下部陳列台２１の取り付け作業が不要となり、比較的少ない手間や時間でダミーサンプルの形式を図１に示したバックライト用のものから図９に示したアンダーライト用のものに変更することができる。
【００５４】
また、図９に示したアンダーライト用のダミーサンプル形式の自動販売機１を設置した後、ダミーサンプルの形式をアンダーライト用のものから図１に示したバックライト用のものに変更して欲しいという要望が出された際には、バックライト用上部陳列台２２とバックライト用ダミーサンプル１６とを自動販売機１の設置箇所に送付するなどして用意する。そして、係員や管理者等が、アンダーライト用ダミーサンプル１５と共にアンダーライト用サンプルホルダー３６をアンダーライト用下部陳列台２１の第１の下部通光孔３３から脱抜する。これにより、図１３に示すように、アンダーライト用ダミーサンプル１５とアンダーライト用サンプルホルダー３６とがアンダーライト用下部陳列台２１から取り外される。
【００５５】
その後、図３〜図５に示すように、フック２２ｅを被係合孔３０に挿入して、バックライト用上部陳列台２２を中扉７に取り付ける。これにより、バックライト用上部陳列台２２がアンダーライト用下部陳列台２１の上方に位置し、バックライト用ダミーサンプル１６を装着することができる。
【００５６】
したがって、従来の変更の際に行っていたアンダーライト用下部陳列台２１の取り外し作業が不要となり、比較的少ない手間や時間でダミーサンプルの形式を図９に示したアンダーライト用のものから図１に示したバックライト用のものに変更することができる。
【００５７】
このように、ダミーサンプルの形式をバックライト用に変更する場合とアンダーライト用に変更する場合とのいずれの場合であっても、アンダーライト用下部陳列台２１は設けたままでよく、アンダーライト用下部陳列台２１の取付け取外しを行う必要はないため、無駄なコストを抑えながら、容易かつ迅速にダミーサンプルの形式の変更が行える。このことは、従来技術である図２１と比較すれば容易に理解できる。
【００５８】
また、図１１に示すようにアンダーライト用ダミーサンプル１５を展示する場合と図４に示すようにバックライト用ダミーサンプル１６を展示する場合とのいずれの場合であっても、アンダーライト用下部陳列台２１の表示部２３を共通して使用することができるため、コスト低減を図ることができる。
【００５９】
また、１台の自動販売機１において、アンダーライト用ダミーサンプル１５を展示する陳列台１４と、バックライト用ダミーサンプル１６を展示する陳列台１４とを、上下各段毎に任意に混在させることも可能である。
【００６０】
また、自動販売機１を出荷する際、アンダーライト用とバックライト用とのいずれのダミーサンプル形式に関わらず、図１〜図５に示すように、バックライト用ダミーサンプル１６を備えたバックライト用上部陳列台２２を中扉７に取り付けておき、アンダーライト用ダミーサンプル１５とアンダーライト用サンプルホルダー３６とを自動販売機１内の余分なスペースに収納して出荷することも可能である。
【００６１】
これにより、出荷後、所有者や管理者等がアンダーライト用とバックライト用とのいずれのダミーサンプル形式を任意に選択することが可能となる。また、自動販売機１とは別にバックライト用上部陳列台２２やアンダーライト用下部陳列台２１を梱包して出荷する必要はなく、出荷時における梱包の手間やコストを低減することができる。
【００６２】
以下、本発明における第２の実施の形態を図１６〜図１９を参照して説明する。尚、上記第１の実施の形態で説明した部材と同じ部材については、同一の符号を付記して説明を省略する。
【００６３】
バックライト用上部陳列台２２は、陳列板２２ａと、バックライト用サンプルホルダー２２ｂと、陳列板２２ａの左右両側部に設けられて後方へ突出した左右一対の側板２２ｃ（案内板の一例）とを有している。陳列板２２ａの上端には、上方へ突出する突起片５０が左右一対設けられている。また、中扉７には、表裏両側に開口する複数の差込孔５１と、表裏両側に開口する複数の案内スリット５２とが形成されている。差込孔５１は角孔であり、案内スリット５２は上下方向に細長い孔である。上記突起片５０が差込孔５１に差し込まれ、側板２２ｃが案内スリット５２に挿入されている。また、側板２２ｃの下端前部には凹部５３が形成されている。
【００６４】
バックライト用上部陳列台２２は、突起片５０を中心として、図１６に示すように中扉７の表側且つアンダーライト用下部陳列台２１の上方に突出する使用位置Ａと、図１９に示すようにアンダーライト用下部陳列台２１の上方から退避して中扉７の裏側へ退く非使用位置Ｂとに前後揺動自在である。
【００６５】
図１６，図１７に示すように、使用位置Ａにおいて、側板２２ｃの前端部（基端部）が中扉７の表側に突出するとともに、側板２２ｃの後端部（遊端部）が案内スリット５２内に残留するものである。さらに、使用位置Ａにおいて、陳列板２２ａの下端がアンダーライト用下部陳列台２１上に支持されるとともに、両側板２２ｃの下端部がアンダーライト用下部陳列台２１の側板２１ｂの外側方に重なる。
【００６６】
また、図１９に示すように、非使用位置Ｂにおいて、陳列板２２ａが中扉７の表面に重なるとともに、側板２２ｃが案内スリット５２内に挿通されて側板２２ｃの後端部が中扉７の裏側に突出する。さらに、非使用位置Ｂにおいて、凹部５３を上方から案内スリット５２の下端縁に嵌めることができる。
【００６７】
尚、差込孔５１は上下方向に所定の長さＬを有するため、バックライト用上部陳列台２２は上下方向へも移動可能となる。
以下、上記構成における作用を説明する。
【００６８】
図１６はバックライト用ダミーサンプル１６を展示する形式の自動販売機１であり、蛍光灯１７を点灯させることにより、蛍光灯１７の光が、第１の下部通光孔３３を通過して下方からバックライト用ダミーサンプル１６の背後に取り込まれ、後部通光孔３４を通過して背後からバックライト用ダミーサンプル１６に取り込まれ、バックライト用ダミーサンプル１６が背後から照射される。
【００６９】
また、図１９はアンダーライト用ダミーサンプル１５を展示する形式の自動販売機１であり、蛍光灯１７を点灯させることにより、蛍光灯１７の光がアンダーライト用サンプルホルダー３６の第２の下部通光孔３７を通過して下方からアンダーライト用ダミーサンプル１５内に取り込まれ、アンダーライト用ダミーサンプル１５が蛍光灯１７の光によって下方から照射される。
【００７０】
図１６に示したバックライト用のダミーサンプル形式の自動販売機１を設置した後、ダミーサンプルの形式をバックライト用のものから図１９に示したアンダーライト用のものに変更して欲しいという要望が出された際には、アンダーライト用ダミーサンプル１５とアンダーライト用サンプルホルダー３６とを自動販売機１の設置箇所に送付するなどして用意し、係員や管理者等が、バックライト用ダミーサンプル１６をバックライト用上部陳列台２２から取り外し、バックライト用上部陳列台２２を僅かに持ち上げて図１６に示す使用位置Ａから図１９に示す非使用位置Ｂまで揺動させて押し込む。これにより、バックライト用上部陳列台２２の陳列板２２ａがアンダーライト用下部陳列台２１の上方から中扉７の表面に重なるとともに、側板２２ｃが案内スリット５２内に挿通されて中扉７の裏側へ収納される。
【００７１】
この際、凹部５３を上方から案内スリット５２の下端縁に嵌めることにより、バックライト用上部陳列台２２を非使用位置Ｂに固定することができ、バックライト用上部陳列台２２が不用意に非使用位置Ｂから使用位置Ａに向かって揺動するのを防止することができる。
【００７２】
その後、アンダーライト用サンプルホルダー３６をアンダーライト用下部陳列台２１の第１の下部通光孔３３に嵌め込み、アンダーライト用ダミーサンプル１５の下部をアンダーライト用サンプルホルダー３６に挿入する。これにより、図１９に示すように、アンダーライト用ダミーサンプル１５がアンダーライト用サンプルホルダー３６を介してアンダーライト用下部陳列台２１上に保持される。尚、この場合、図１９ではバックライト用上部陳列台２２にバックライト用サンプルホルダー２２ｂを設けたままであるが、見栄えを良くするために、バックライト用サンプルホルダー２２ｂをバックライト用上部陳列台２２から取り外してもよい。
【００７３】
したがって、従来の変更の際に行っていたアンダーライト用下部陳列台２１の取り付け作業が不要となり、比較的少ない手間や時間でダミーサンプルの形式を図１６に示したバックライト用のものから図１９に示したアンダーライト用のものに変更することができる。また、アンダーライト用のダミーサンプル形式であっても、バックライト用上部陳列台２２を取り外す必要はないため、バックライト用上部陳列台２２を紛失する心配は無く、バックライト用上部陳列台２２を自動販売機１の外部に別途保管する手間を省くことができる。
【００７４】
また、図１９に示したアンダーライト用のダミーサンプル形式の自動販売機１を設置した後、ダミーサンプルの形式をアンダーライト用のものから図１６に示したバックライト用のものに変更して欲しいという要望が出された際には、バックライト用ダミーサンプル１６を自動販売機１の設置箇所に送付するなどして用意する。そして、係員や管理者等が、アンダーライト用ダミーサンプル１５と共にアンダーライト用サンプルホルダー３６をアンダーライト用下部陳列台２１の第１の下部通光孔３３から脱抜する。これにより、アンダーライト用ダミーサンプル１５とアンダーライト用サンプルホルダー３６とがアンダーライト用下部陳列台２１から取り外される。
【００７５】
その後、バックライト用上部陳列台２２を持ち上げ、凹部５３を案内スリット５２の下端縁の上方へ離脱させることにより、非使用位置Ｂにおけるバックライト用上部陳列台２２の固定を解除する。そして、バックライト用上部陳列台２２を図１９に示す非使用位置Ｂから図１６に示す使用位置Ａまで揺動させて手前に引き出し、陳列板２２ａをアンダーライト用下部陳列台２１上に載せる。これにより、バックライト用上部陳列台２２が、アンダーライト用下部陳列台２１の上方に突出し、使用位置Ａに保持される。その後、バックライト用ダミーサンプル１６をバックライト用上部陳列台２２に取り付ける。
【００７６】
したがって、従来の変更の際に行っていたアンダーライト用下部陳列台２１の取り外し作業が不要となり、比較的少ない手間や時間でダミーサンプルの形式を図１９に示したアンダーライト用のものから図１６に示したバックライト用のものに変更することができる。
【００７７】
このように、ダミーサンプルの形式をバックライト用に変更する場合とアンダーライト用に変更する場合とのいずれの場合であっても、アンダーライト用下部陳列台２１は設けたままでよく、アンダーライト用下部陳列台２１の取付け取外しを行う必要はないため、無駄なコストを抑えながら、容易かつ迅速にダミーサンプルの形式の変更が行える。
【００７８】
尚、バックライト用上部陳列台２２は、案内スリット５２に挿入された側板２２ｃによって案内されるため、使用位置Ａと非使用位置Ｂとにわたって円滑に揺動する。
上記各実施の形態では、図１に示すように、ダミーサンプル展示装置１２を上下三段設けているが、三段以外の複数段又は単数段設けてもよい。
【００７９】
上記各実施の形態では、商品２を缶飲料等にし、アンダーライト用ダミーサンプル１５を円筒形状にし、バックライト用ダミーサンプル１６を半円筒形状にしているが、商品２は缶飲料等に限定されるものではなく、例えば四角い紙パック入りの飲料やタバコ等であってもよい。この場合、アンダーライト用ダミーサンプル１５とバックライト用ダミーサンプル１６とはそれぞれ四角形状に形成される。
【００８０】
上記各実施の形態では、図４に示すように、バックライト用サンプルホルダー２２ｂを介して、バックライト用ダミーサンプル１６をバックライト用上部陳列台２２の陳列板２２ａに着脱自在に取り付けているが、バックライト用サンプルホルダー２２ｂを用いずに、バックライト用ダミーサンプル１６を成形品として製作し、第１の後部通光孔３４ａを利用してバックライト用ダミーサンプル１６を陳列板２２ａに直に着脱自在に取り付けてもよい。
【００８１】
上記各実施の形態では、図１１に示すように、アンダーライト用サンプルホルダー３６を介して、アンダーライト用ダミーサンプル１５をアンダーライト用下部陳列台２１の陳列板２１ａに着脱自在に取り付けているが、アンダーライト用サンプルホルダー３６を用いずに、アンダーライト用ダミーサンプル１５を陳列板２１ａの第１の下部通光孔３３に直に着脱自在に取り付ける形状としてもよい。
【図面の簡単な説明】
【００８２】
【図１】本発明の第１の実施の形態における自動販売機の側方から見た縦断面図であり、バックライト用ダミーサンプルを展示したものである。
【図２】同、自動販売機の正面図であり、バックライト用ダミーサンプルを展示したものである。
【図３】同、自動販売機に設けられたダミーサンプル展示装置の正面図であり、バックライト用ダミーサンプルを展示したものである。
【図４】同、自動販売機に設けられたダミーサンプル展示装置の側面図であり、バックライト用ダミーサンプルを展示したものである。
【図５】同、自動販売機に設けられたダミーサンプル展示装置の平面図であり、バックライト用ダミーサンプルを展示したものである。
【図６】同、ダミーサンプル展示装置のバックライト用上部陳列台の側面図である。
【図７】同、ダミーサンプル展示装置のバックライト用上部陳列台の正面図である。
【図８】同、ダミーサンプル展示装置のバックライト用上部陳列台に設けられているバックライト用サンプルホルダーの平面図である。
【図９】同、自動販売機の側方から見た縦断面図であり、アンダーライト用ダミーサンプルを展示したものである。
【図１０】同、自動販売機に設けられたダミーサンプル展示装置の正面図であり、アンダーライト用ダミーサンプルを展示したものである。
【図１１】同、自動販売機に設けられたダミーサンプル展示装置の側面図であり、アンダーライト用ダミーサンプルを展示したものである。
【図１２】同、自動販売機に設けられたダミーサンプル展示装置の平面図であり、アンダーライト用ダミーサンプルを展示したものである。
【図１３】図１２におけるＸ−Ｘ矢視図である。
【図１４】図１２におけるＹ−Ｙ矢視図である。
【図１５】同、自動販売機に設けられたダミーサンプル展示装置のアンダーライト用サンプルホルダーの平面図である。
【図１６】本発明の第２の実施の形態における自動販売機に設けられたダミーサンプル展示装置の側面図であり、バックライト用上部陳列台を使用位置まで引き出してバックライト用ダミーサンプルを展示した状態を示す。
【図１７】図１６におけるＸ−Ｘ矢視図である。
【図１８】図１６におけるＹ−Ｙ矢視図である。
【図１９】同、ダミーサンプル展示装置の側面図であり、バックライト用上部陳列台を非使用位置まで押し込んでアンダーライト用ダミーサンプルを展示した状態を示す。
【図２０】従来の自動販売機に設けられたダミーサンプル展示装置の側面図であり、アンダーライト用ダミーサンプルを展示したものである。
【図２１】従来の自動販売機に設けられたダミーサンプル展示装置の側面図であり、バックライト用ダミーサンプルを展示したものである。
【符号の説明】
【００８３】
１    自動販売機
２    商品
７    中扉（背面部材）
１０  展示室
１２  ダミーサンプル展示装置
１４  陳列台
１５  アンダーライト用ダミーサンプル
１６  バックライト用ダミーサンプル
１７  蛍光灯（照明装置）
２１  アンダーライト用下部陳列台
２１ａ  陳列板（支持部）
２２  バックライト用上部陳列台
２２ｃ  側板（案内板）
２３  表示部
３３，３７  下部通光孔
３４  後部通光孔
５２  案内スリット
Ａ    使用位置
Ｂ    非使用位置
【図１】
2009015541.tif 000003
【図２】
2009015541.tif 000004
【図３】
2009015541.tif 000005
【図４】
2009015541.tif 000006
【図５】
2009015541.tif 000007
【図６】
2009015541.tif 000008
【図７】
2009015541.tif 000009
【図８】
2009015541.tif 000010
【図９】
2009015541.tif 000011
【図１０】
2009015541.tif 000012
【図１１】
2009015541.tif 000013
【図１２】
2009015541.tif 000014
【図１３】
2009015541.tif 000015
【図１４】
2009015541.tif 000016
【図１５】
2009015541.tif 000017
【図１６】
2009015541.tif 000018
【図１７】
2009015541.tif 000019
【図１８】
2009015541.tif 000020
【図１９】
2009015541.tif 000021
【図２０】
2009015541.tif 000022
【図２１】
2009015541.tif 000023